(57)【特許請求の範囲】
【請求項１】
壁部(16)を挟んで画成された製氷室(10)および機械室(12)に亘って設けたタンク収容部(30)に機外への引出しが可能に収容される製氷水タンク(T)と、前記製氷水タンク(T)内の製氷水を前記製氷室(10)内の製氷部へ供給するポンプ(WP)に連結されたポンプモータ(PM)とを備える製氷機において、
前記機械室(12)に設けられて前記タンク収容部(30)を区画する隔壁部(32)の上端載置部(32B)に、機械室(12)とタンク収容部(30)とを区画するモータ取付部材(36)が着脱可能に載置され、
前記モータ取付部材(36)の前記機械室(12)に臨む側に前記ポンプモータ(PM)が取付けられると共に、該モータ取付部材(36)の前記タンク収容部(30)に臨む側に、該タンク収容部(30)に収容された製氷水タンク(T)内に臨むように前記ポンプ(WP)が取付けられている
ことを特徴とする製氷機。
【請求項２】
前記製氷水タンク(T)における前記機械室(12)側のタンク収容部(30)に収容される部位(T2)に、該製氷水タンク(T)の引出し時に前記モータ取付部材(36)を下方から支持するモータ支持部(74)を設けた請求項１記載の製氷機。
【請求項３】
前記モータ取付部材(36)と前記上端載置部(32B)とを分離可能に固定する固定手段(S1)を備えた請求項１または２記載の製氷機。
【請求項４】
前記モータ取付部材(36)は、前記タンク収容部(30)と機外とを連通するタンク挿通口(24)に臨む扉部材(48)を備える請求項１〜３の何れか一項に記載の製氷機。
【発明の詳細な説明】
【技術分野】
【０００１】
本発明は、製氷機に関し、更に詳細には、タンク収容部に機外への引出しが可能に収容される製氷水タンクと、製氷水タンク内の製氷水を製氷部へ供給するポンプを作動するポンプモータとを備える製氷機に関するものである。
【背景技術】
【０００２】
製氷機は、製氷機本体内に製氷室および機械室が区画形成され、冷凍機構部を構成する蒸発器および製氷部等からなる製氷機構部が製氷室内に配設される一方、該冷凍機構部を構成する圧縮機や凝縮器等が機械室に配設される。そして、製氷室下部、または製氷室下部から機械室下部に亘ってタンク収容部が設けられ、製氷水タンクを該タンク収容部に引出し可能に収容するよう構成されている。また、製氷水タンク内の製氷水を製氷室に配設した製氷部に供給するポンプを作動するポンプモータが、該製氷水タンクの上方の所要位置に配設されている。製氷水タンク内の製氷水は、ポンプモータにより作動するポンプにより製氷部に供給されて該製氷部で氷化され、製氷部で氷結しなかった製氷水は、製氷水タンク内へ落下して一旦回収された後、再び製氷部へ供給される。このような製氷機のポンプモータ取付構造は、例えば特許文献１および特許文献２に開示されている。
【特許文献１】特表２００６−５１９９７４号公報
【特許文献２】ＷＯ００／７０２７８号公報
【発明の開示】
【発明が解決しようとする課題】
【０００３】
特許文献１に開示された製氷機は、貯蔵タンク(製氷水タンク)が製氷室の下部に着脱可能に装着されており、貯蔵タンク内の製氷水を製氷部に供給するポンプおよびポンプモータが、製氷室内における奥側の壁部に取付けられている。このような製氷機では、貯蔵タンクを機外へ引出す際に、ポンプおよびポンプモータを壁部から取外すと共に持ち上げる必要があり、貯蔵タンクの着脱作業を行ない難い問題を内在している。また、ポンプおよびポンプモータを上方へ移動させ得る空間を該ポンプモータの上方に確保する必要があるので、製氷機構部のレイアウトが制約されて製氷機の小型化に支障を来たす問題もある。更に、製氷水が蒸発した際に発生する湿気や塩素等がポンプモータに付着するので、該ポンプモータが腐食または故障し易い欠点もある。
【０００４】
また、特許文献２に開示された流下式製氷機は、製氷室下部から機械室下部に亘って設けたタンク収容部に貯水タンク(製氷水タンク)が引出し式に収容されており、該貯水タンクの機械室側に臨む部位に、ポンプ、ポンプモータおよびフロートスイッチ等が配設された構造となっている。このような流下式製氷機では、貯水タンクを機外へ引出す際に、ポンプ、ポンプモータおよびフロートスイッチ等が該貯水タンクと一体的に引出される。また、ポンプモータが機械室側に位置しているので、該ポンプモータの腐食が発生し難い利点がある。しかし、ポンプ、ポンプモータおよびフロートスイッチ等の重量が常に貯水タンクに加わる構造であるので、使用期間中に該貯水タンクに変形が生ずるおそれがある。また、貯水タンクと隔壁部との密着により製氷室と機械室とを区画する構造となっているので、前述したように貯水タンクに変形が生じた場合には該貯水タンクと隔壁部との間に隙間ができ、冷気漏れによる製氷効率低下や製氷室内への塵埃進入等の不都合が発生する。
【０００５】
そこで本発明では、前述した従来の技術に内在している課題に鑑み、これを好適に解決するべく提案されたものであって、製氷効率の低下や製氷室内への塵埃進入等を防止すると共に、製氷水タンクの出入れ作業の簡易化を図ってメンテナンス性を向上させた製氷機を提供することを目的とする。
【課題を解決するための手段】
【０００６】
前記課題を解決し、所期の目的を達成するため、請求項１に記載の発明は、壁部を挟んで画成された製氷室および機械室に亘って設けたタンク収容部に機外への引出しが可能に収容される製氷水タンクと、前記製氷水タンク内の製氷水を前記製氷室内の製氷部へ供給するポンプに連結されたポンプモータとを備える製氷機において、
前記機械室に設けられて前記タンク収容部を区画する隔壁部の上端載置部に、機械室とタンク収容部とを区画するモータ取付部材が着脱可能に載置され、
前記モータ取付部材の前記機械室に臨む側に前記ポンプモータが取付けられると共に、該モータ取付部材の前記タンク収容部に臨む側に、該タンク収容部に収容された製氷水タンク内に臨むように前記ポンプが取付けられていることを要旨とする。
【０００７】
従って、請求項１に係る発明によれば、ポンプモータを取付けたモータ取付部材で機械室とタンク収容部とを区画するようにしたので、製氷室と機械室とを区画する壁部の一部を省略することができ、部品点数の削減によるコスト低減を図り得る。そして、モータ取付部材により機械室とタンク収容部との間に隙間が画成されないので、製氷効率の低下を防止し得ると共に、タンク収容部や製氷室への塵埃の進入も防止し得る。また、ポンプモータが機械室側に取付けられているので、製氷水の蒸発による湿気や塩素等が該ポンプモータに付着することがなく、これを起因としたポンプモータの腐食や故障の発生を好適に防止し得る。
【０００８】
請求項２に記載の発明では、前記製氷水タンクにおける前記機械室側のタンク収容部に収容される部位に、該製氷水タンクの引出し時に前記モータ取付部材を下方から支持するモータ支持部を設けたことを要旨とする。
従って、請求項２に係る発明によれば、モータ取付部材は、製氷水タンクを引出す際に上端載置部から該製氷水タンクに移載され、ポンプおよびポンプモータを製氷水タンクと一緒に引出すことができる。
【０００９】
請求項３に記載の発明では、前記モータ取付部材と前記上端載置部とを分離可能に固定する固定手段を備えたことを要旨とする。
従って、請求項３に係る発明によれば、モータ取付部材が上端載置部に載置されている際には、該モータ取付部材を適切に固定することができる。
【００１０】
請求項４に記載の発明では、前記モータ取付部材は、前記タンク収容部と機外とを連通するタンク挿通口に臨む扉部材を備えることを要旨とする。
従って、請求項４に係る発明によれば、タンク挿通口に臨む扉部材をモータ取付部材に設けたので、構成部品点数が削減されてコスト低減が期待できる。
【発明の効果】
【００１１】
本発明に係る製氷機によれば、製氷効率の低下や製氷室内への塵埃進入等を防止すると共に、製氷水タンクの出入れ作業の簡易化を図ってメンテナンス性を向上させ得る。
【発明を実施するための最良の形態】
【００１２】
次に、本発明に係る製氷機につき、好適な実施例を挙げて、添付図面を参照しながら以下説明する。なお、本発明が対象とする製氷機は、製氷室と該製氷室に隣接する機械室とが製氷機本体内に区画形成され、製氷室下部から機械室下部に亘って設けたタンク収容部に機外への引出しが可能に収容される製氷水タンクと、製氷水タンク内の製氷水を製氷部へ供給するポンプに連結されたポンプモータとを備える製氷機が全て対象とされる。そこで実施例では、ポンプモータ取付構造に関連する部位についてのみ説明し、製氷機本体のフレームや各パネルや冷凍機構部および製氷部等は各製氷機毎に構成が異なるので、これらの説明および図示は省略する。なお実施例では、製氷水タンクを引出す方向(図１の下方)を製氷機の前側とし、前側から見た正面左側を製氷機の左側、正面右側を製氷機の右側とする。
【実施例】
【００１３】
図１は、製氷機の製氷機本体内に、後述する右側壁部(壁部)１６を挟んで画成された製氷室１０および機械室１２を、製氷機本体および冷凍機構部等を省略して概略的に示した斜視図である。製氷室１０には、冷凍機構部を構成する蒸発器および製氷部等からなる製氷機構部等が配設され、機械室１２には、冷凍機構部を構成する圧縮機や凝縮器等が配設される。なお、製氷室１０および機械室１２は、両室１０,１２の底部を構成する区画底板１４により、下方に区画された貯氷室(図示省略)と区画されている。
【００１４】
製氷室１０は、図１および図２に示すように、機械室１２との境界部に位置する右側壁部１６と、右側壁部１６と対向して製氷室１０の左側に位置する左側壁部１８と、右側壁部１６の後端および左側壁部１８の後端に夫々接合される後壁部２０と、右側壁部１６の前端および左側壁部１８の前端に夫々接合される前壁部２２とにより、周囲の四方が囲繞されている。右側壁部１６、左側壁部１８および後壁部２０は、夫々の下端が前記区画底板１４に固定されている。また前壁部２２は、後述するタンク挿通口２４を下方に形成するため、左側壁部１８および右側壁部１６よりも高さ寸法が小さく設定されている。また上部開口部２６は、製氷機本体を構成するアッパーパネル(図示省略)で覆蓋されるようになっている。前記右側壁部１６、左側壁部１８、後壁部２０、前壁部２２およびアッパーパネルの夫々は断熱材が内装されており、これにより製氷室１０は断熱箱体として構成されている。
【００１５】
機械室１２は、前記右側壁部１６により製氷室１０と区画され、製氷機本体を構成する右サイドパネル、リアパネル、フロントパネルおよびアッパーパネル等により画成される。そして、区画底板１４の機械室１２側の上面には、重量が嵩む冷凍機構部の圧縮機や凝縮器等を取付けるベース板２８が配設されている。
【００１６】
そして図１および図２に示すように、製氷室１０の下部から該製氷室１０と隣接する機械室１２の下部に亘り、製氷水タンクＴを機外へ引出し可能に収容するタンク収容部３０が形成されている。すなわちタンク収容部３０は、右側壁部１６の前側下部分に設けた第１切欠部１６Ａにより、製氷室１０の下部に画成された第１収容領域３０Ａと、機械室１２の前側下部に画成されて第１収容領域３０Ａと空間的に連通する第２収容領域３０Ｂとからなり、平面視において略Ｌ字形を呈している。また、ベース板２８の前側左部分には、タンク収容部３０に整合する第２切欠部２８Ａが形成されている。これによりタンク収容部３０は、区画底板１４の上面をタンク載置面とした平坦状で高さＨに画成されている。
【００１７】
タンク収容部３０の第２収容領域３０Ｂと機械室１２とは、図１に示すように、該タンク収容部３０と機械室１２との境界部に沿って立設した縦隔壁部(隔壁部)３２と、後述するモータ取付部材３６とで完全に区画されるようになっている。縦隔壁部３２は、例えば合成樹脂製の一体成形部品であって、下端縁に沿って水平方向へ延出した下端取付片３２Ａと、上端縁に沿って水平方向へ延出した上端載置片(上端載置部)３２Ｂと、前端縁に沿って右方向へ折曲した前端取付片３２Ｃとを有している。下端取付片３２Ａは、縦隔壁部３２をベース板２８に取付けるために供される。上端載置部３２Ｂは、モータ取付部材３６を載置した状態で取付けるために供される。前端取付片３２Ｃは、後述する扉部材４８を取付けるために供される。なお縦隔壁部３２には、図示省略した断熱部材が貼付けられ、製氷室１０およびタンク収容部３０の断熱が図られる。
【００１８】
モータ取付部材３６は、図３および図６に示すように、例えば合成樹脂製の一体成形部品であって、縦隔壁部３２の上端載置部３２Ｂに載置した状態において、右側壁部１６と縦隔壁部３２とにより形成されてタンク挿通口２４に連通する開口部３４を覆蓋する矩形板状に形成されている。そして、モータ取付部材３６を上端載置部３２Ｂに載置した際には、該モータ取付部材３６の左側面が右側壁部１６に当接するようになり、機械室１２とタンク収容部３０との密閉が図られるよう構成されている。またモータ取付部材３６には、ポンプモータＰＭを取付けるための矩形枠状のモータ設置部３８の他に、フロートスイッチ(図示せず)のスイッチ設置部４０や、給水管が連結されるパイプ連結部４２等が設けられている。モータ設置部３８には、ポンプモータＰＭに連結されるポンプＷＰ(図６)の挿通を許容する開口部４４が形成されている。なお、モータ取付部材３６の上面には、モータ設置部３８を除く部位に断熱部材４６が取付けられ、製氷室１０およびタンク収容部３０の断熱が図られる。
【００１９】
またモータ取付部材３６は、図３および図６に示すように、タンク収容部３０と機外とを連通する前記タンク挿通口２４に臨む扉部材４８を備えている。これらモータ取付部材３６と扉部材４８とは、略直角に折曲した状態で一体成形されている。この扉部材４８は、製氷水タンクＴがタンク収容部３０に収容された際に、タンク挿通口２４の右側部分に位置し、製氷室１０およびタンク収容部３０の断熱を図るよう機能する。なお扉部材４８は、タンク挿通口２４の開口領域全体を覆蓋し得る形状に形成することも可能である。
【００２０】
前記モータ取付部材３６および扉部材４８は、図１および図２に示すように、第１取付ビス(固定手段)Ｓ１および第２取付ビスＳ２により、縦隔壁部３２の上端載置部３２Ｂおよび前端取付片３２Ｃに分離可能に固定される。すなわち、モータ取付部材３６の右後角部には、上端載置部３２Ｂの角部に形成した第１ネジ孔５０に整合する第１ネジ挿通孔５２が形成されている。これら第１ネジ孔５０と第１ネジ挿通孔５２とは、モータ取付部材３６が適切に位置決めされると互いに整合し、第１ネジ挿通孔５２を介して第１ネジ孔５０へ第１取付ネジＳ１を螺挿することで、モータ取付部材３６が上端載置部３２Ｂに載置された状態で固定される。また、扉部材４８の右端における上下中央部には、前端取付片３２Ｃの下端に形成した第２ネジ孔５４に整合する第２ネジ挿通孔５６が形成されている。これら第２ネジ孔５４と第２ネジ挿通孔５６とは、扉部材４８が適切に位置決めされると互いに整合し、第２ネジ挿通孔５６を介して第２ネジ孔５４へ第２取付ネジＳ２を螺挿することで、縦隔壁部３２の前端取付片３２Ｃに対して扉部材４８が固定される。なお、モータ取付部材３６および扉部材４８は、第１ネジ挿通孔５２および第２ネジ挿通孔５６に夫々螺挿されていた第１取付ネジＳ１および第２取付ネジＳ２を夫々取外すことで、縦隔壁部３２から分離させ得る。
【００２１】
そして実施例では、前述すると共に図３および図５に示すように、モータ取付部材３６に設けたモータ設置部３８に、ポンプＷＰに連結されたポンプモータＰＭを取付けるよう構成されている。すなわちポンプモータＰＭは、矩形枠状のモータ設置部３８に整合する矩形板状の取付板５８を備えている。この取付板５８の前端部には、図４および図６に示すように、モータ設置部３８の前端部分に形成された第３ネジ孔６０に整合する第３ネジ挿通孔６２が形成されている。また、取付板５８の後端部には、図４に示すように、モータ設置部３８の後端部分に形成された係止受部３８Ａに係止する係止爪部５８Ａが、後方へ突出した状態に形成されている。従って、開口部４４を介してポンプＷＰを上面側から挿通させ、係止爪部５８Ａを係止受部３８Ａに係止させながら取付板５８をモータ設置部３８へ整合させたもとで、第３ネジ孔６０に整合した第３ネジ挿通孔６２を介して第３取付ネジＳ３を該第３ネジ孔６０へ螺挿させることで、ポンプモータＰＭがモータ取付部材３６に固定されると共に、取付板５８により開口部４４が完全に覆蓋される。
【００２２】
従って、図２および図４に示すように、モータ取付部材３６を縦隔壁部３２の上端載置部３２Ｂに固定した際には、該モータ取付部材３６の機械室１２側に臨む上面側にポンプモータＰＭが取付けられる。また、モータ取付部材３６のタンク収容部３０側に臨む下面側に、該タンク収容部３０に収容された製氷水タンクＴ内に臨むようポンプＷＰが取付けられる。すなわちポンプモータＰＭは、製氷室１０(タンク収納部３０)と隔離された機械室１２内に位置するようになるので、製氷水タンクＴ内の製氷水が蒸発することによる湿気や塩素等が該ポンプモータＰＭに付着しないよう構成されている。
【００２３】
製氷水タンクＴは、図１および図２に示すように、高さＨのタンク収容部３０に整合して収容され得る形状・サイズのトレー状に形成され、第１収容領域３０Ａに収容される第１タンク部Ｔ１と、第１タンク部Ｔ１から右方向へ突出して第２収容領域３０Ｂに収容される第２タンク部Ｔ２とからなっている。製氷水タンクＴの底面は、前下がりでかつ右下がりに傾斜しており、第２タンク部Ｔ２の右端部位が最も深くなっている。製氷水タンクＴの上縁部には、水平外方へ延出した水平リブ７０が全周に亘って延設されており、水平リブ７０の先端縁には、上方へ突出した垂直リブ７２が該水平リブ７０に沿って全周に亘って延設されている。
【００２４】
そして、図３および図６に示すように、製氷水タンクＴの機械室１２に臨む部位である第２タンク部Ｔ２に、該製氷水タンクＴの引出し時にモータ取付部材３６を下方から支持するモータ支持片(モータ支持部)７４が設けられている。このモータ支持片７４は、前後に離間した水平リブ７０の上面から上方へ突設したリブであって、実施例では左右方向および前後方向へ合計４つのモータ支持片７４が離間配置されている。各モータ支持片７４は、図４に示すように、製氷水タンクＴがタンク収容部３０から引出される際に、上端載置部３２Ｂに載置されたモータ取付部材３６の下面に先端が接触する突出高さに寸法設定されている。すなわち、ポンプモータＰＭが取付けられたモータ取付部材３６は、タンク収容部３０に収容された製氷水タンクＴの各モータ支持片７４により、下方から支持されるよう構成される。
【００２５】
(実施例の作用)
次に、前述のように構成された実施例の製氷機の作用について説明する。
【００２６】
製氷水タンクＴをタンク収容部３０へ収容する際には、該製氷水タンクＴの第２タンク部Ｔ２に、ポンプＷＰおよびポンプモータＰＭを取付けたモータ取付部材３６を上方からセットする。ポンプＷＰおよびポンプモータＰＭは、取付板５８によりモータ取付部材３６にがたつきなく取付けられると共に、該モータ取付部材３６は、製氷水タンクＴに設けた４つの各モータ支持片７４で下方から支持され、該製氷水タンクＴに安定的に載置される。そして、ポンプモータＰＭに連結されたポンプＷＰは、製氷水タンクＴ内へ垂下された状態となる。
【００２７】
そして、ポンプモータＰＭを取付けたモータ取付部材３６を載置した製氷水タンクＴを、製氷機本体の前面に開口したタンク挿通口２４を介して、タンク収容部３０へ押し込む。ここで、製氷水タンクＴをタンク収容部３０へ押し込む過程において、製氷水タンクＴに載置されたモータ取付部材３６の右端部分が、縦隔壁部３２における上端載置部３２Ｂの上面に接触しながら摺動するようになる。そして、製氷水タンクＴがタンク収容部３０へ完全に収容されると、図４に示すように、モータ取付部材３６の後端部分が、縦隔壁部３２における上端載置部３２Ｂの上面に重なると共に、扉部材４８における右端部分が、縦隔壁部３２における前端取付片３２Ｃの前面に当接するようになる。
【００２８】
そして、縦隔壁部３２に対するモータ取付部材３６の位置決めが図られると第１ネジ孔５０と第１ネジ挿通孔５２とが整合するので、第１ネジ挿通孔５２を介して第１ネジ孔５０へ第１取付ネジＳ１を螺挿して、縦隔壁部３２に対してモータ取付部材３６を固定する。また、第２ネジ孔５４と第２ネジ挿通孔５６とが整合するので、第２ネジ挿通孔５６を介して第２ネジ孔５４へ第２取付ネジＳ２を螺挿して、縦隔壁部３２に対して扉部材４８を固定する。これにより図２および図５に示すように、モータ取付部材３６および扉部材４８が、ベース板２８に固定した縦隔壁部３２に取付けられるので、タンク収容部３０と機械室１２とが適切に区画される一方、ポンプＷＰは製氷水タンクＴ内に臨むと共に、ポンプモータＰＭは機械室１２内に臨むようになる。なお、モータ取付部材３６が上端載置部３２Ｂに載置固定されると、該モータ取付部材３６の左側面が右側壁部１６に当接するので、機械室１２とタンク収容部３０との密閉が図られる。
【００２９】
製氷水タンクＴをタンク収容部３０から引出す際には、先ず第１取付ネジＳ１および第２取付ネジＳ２を取外し、次いで製氷水タンクＴをタンク挿通口２４から前方へ引出す。このとき図１および図５に示すように、モータ取付部材３６は、製氷水タンクＴの各モータ支持片７４に支持されているので、縦隔壁部３２の上端載置部３２Ｂに載置されている高さ位置で水平前方へ移動して、該製氷水タンクＴに移載される。すなわち、ポンプモータＰＭを取付けたモータ取付部材３６が、タンク挿通口２４を介して前方へ引出す製氷水タンクＴに移載されるので、ポンプＷＰおよびポンプモータＰＭを上方へ移動させることなく製氷水タンクＴを引出すことができる。
【００３０】
このように実施例の製氷機は、ポンプＷＰに連結されたポンプモータＰＭを取付けたモータ取付部材３６により、タンク収容部３０(製氷室１０)と機械室１２とを区画するようにしたので、製氷室１０と機械室１２とを区画する壁部の一部を省略することができ、構成部材の削減によるコスト低減を図り得る。そして、モータ取付部材３６により機械室１２とタンク収容部３０との間に隙間が画成されないので、製氷効率の低下を防止し得ると共に、タンク収容部３０や製氷室１０への塵埃の進入も防止し得る。また、ポンプモータＰＭが機械室１２側に取付けられているので、製氷水の蒸発による湿気や塩素等が該ポンプモータＰＭに付着することがなく、これを起因としたポンプモータＰＭの腐食や故障の発生を好適に防止し得る。
【００３１】
そして、製氷水タンクＴを製氷機前側へ引出す際には、ポンプＷＰおよびポンプモータＰＭを取付けたモータ取付部材３６が、製氷水タンクＴに載置された状態で該製氷水タンクＴと一緒に移動するため、これらポンプＷＰおよびポンプモータＰＭを上方へ持ち上げる必要がなく、製氷水タンクＴの引出し作業を簡易に行ない得る。同様に、製氷水タンクＴをタンク収容部３０へ収容する際には、ポンプＷＰおよびポンプモータＰＭを上方へ持ち上げる必要がないので、製氷水タンクＴの収容作業も簡易に行ない得る。また、ポンプモータＰＭの配設位置の上方に空間を確保する必要もないので、機械室１２の容積を小さくし得ると共に、該機械室１２内に配設される付属部品のレイアウトの自由度が高まる。
【００３２】
また、上端載置部３２Ｂに載置したモータ取付部材３６は、第１取付ネジＳ１により該上端載置部３２Ｂに固定されるので、ポンプモータＰＭやポンプＷＰの回転により振動が発生しても、モータ取付部材３６の適切な取付状態を維持できる。更に、モータ取付部材３６に、タンク挿通口２４に臨む扉部材４８を設けたので、タンク収容部３０の断熱を図り得ると共に、構成部品点数の削減によるコスト低減が期待できる。
【００３３】
なお、ポンプＷＰおよびポンプモータＰＭを取付けたモータ取付部材３６が縦隔壁部３２の上端載置部３２Ｂに載置された状態で固定されるので、製氷水タンクＴに設けたモータ支持片７４が該モータ取付部材３６を下方から支持していても、これらポンプＷＰやポンプモータＰＭ等の全重量が製氷水タンクＴに加わらない。従って、ポンプＷＰおよびポンプモータＰＭの重量が加わることによる製氷水タンクＴの変形は殆ど発現しない。また万一、製氷水タンクＴが変形したとしても、モータ取付部材３６によるタンク収容部３０と機械室１２との区画が適切に維持されるので、製氷効率の低下を防止し得ると共に、タンク収容部３０や製氷室１０への塵埃の進入が防止される。
【００３４】
(変更例)
実施例では、モータ取付部材３６と扉部材４８とを、互いに直角となる姿勢で一体成形する場合を例示したが、これらモータ取付部材３６および扉部材４８は、図７に示すように、境界部分にセルフヒンジ部８０を設けて単一平面状に成形するようにしてもよい。このようにモータ取付部材３６と扉部材４８とを単一平面状に成形した場合には、モータ取付部材３６と扉部材４８とを一体に成形した後、セルフヒンジ部８０においてモータ取付部材３６に対して扉部材４８を９０度に折曲させることで、図６に示した装着状態と同一形状に形成し得る。
【００３５】
なお、前記扉部材４８は、前述すると共に図８に示すように、タンク挿通口２４の開口形状に合致する形状に形成してもよい。この場合には、タンク挿通口２４を覆蓋する扉部材４８が単一部材としてモータ取付部材３６と一体的に構成されるので、構成部品点数の削減による更なるコスト低減が期待できる。また、タンク挿通口２４が扉部材４８により完全に覆蓋されるので、タンク収容部３０および製氷室１０の断熱効果の向上が期待できる。
【００３６】
また、前記上端載置部３２Ｂは、図９に示すように、右側壁部１６に沿って右方へ水平に延出する部位を追加してもよい。この場合には、モータ取付部材３６の左側縁、後縁および右側縁の３辺を上端載置部３２Ｂで支持することができるので、該モータ取付部材３６が安定的に支持されると共に、ポンプＷＰおよびポンプモータＰＭ等の重量を該上端載置部３２Ｂで受け止めることが可能となる。従って、モータ取付部材３６が上端載置部３２Ｂに載置されている際には、各モータ支持片７４が該モータ取付部材３６の下面から離間するよう構成することが可能であると共に、ポンプＷＰおよびポンプモータＰＭ等の重量が製氷水タンクＴに加わることを防止し得る。
【００３７】
また、モータ取付部材３６下面の各モータ支持片７４に整合する部位に、モータ支持片７４の先端が整合する凹部または該モータ支持片７４に係止する凸部等を設けるようにしてもよい。この場合には、製氷水タンクＴにモータ取付部材３６を載置した際に、各モータ支持片７４が該モータ取付部材３６に係合するようになり、該製氷水タンクＴを前方へ引出す際およびタンク収容部３０へ収容する際にモータ取付部材３６が製氷水タンクＴに安定的に載置されるようにし得る。
【００３８】
製氷水タンクＴに設けたモータ支持部７４は、実施例で例示したリブ状突起に限定されるものではなく、モータ取付部材３６を下方から支持し得るものであれば、これ以外の形態であってもよい。例えば、水平リブ７０自体を上方へ膨出した形状に形成すれば、この膨出部分をモータ支持部７４として機能させ得る。
【図面の簡単な説明】
【００３９】
【図１】製氷室および機械室の下部に設けたタンク収容部から製氷水タンクを引出した状態を示した概略斜視図である。
【図２】タンク収容部に製氷水タンクを収容した状態を示した概略斜視図である。
【図３】ポンプモータを取付けたモータ取付部材と、製氷水タンクに設けたポンプ支持片とを示した斜視図である。
【図４】図２のIV−IV線断面図である。
【図５】タンク収容部から引出された製氷水タンクにモータ取付部材が載置される状態を、図２のIV−IV線位置で破断した状態で示した断面図である。
【図６】扉部材を一体的に成形したモータ取付部材を示した斜視図である。
【図７】扉部材を一体的に成形したモータ取付部材の別例を示した斜視図である。
【図８】モータ取付部材に一体的に形成される扉部材の別例を示した斜視図である。
【図９】モータ取付部材を載置する上端載置部の別形態例を示した斜視図である。
【符号の説明】
【００４０】
１０ 製氷室，１２ 機械室，１６ 壁部，２４ タンク挿通口，３０ タンク収容部
３２ 縦隔壁部(隔壁部)，３２Ｂ 上端載置部，３６ モータ取付部材，４８ 扉部材
７４ モータ支持片(モータ支持部)，ＰＭ ポンプモータ，Ｓ１ 第１取付ネジ(固定手段)
Ｔ 製氷水タンク，ＷＰ ポンプ
【図１】
0005097515.tif 000002
【図２】
0005097515.tif 000003
【図３】
0005097515.tif 000004
【図４】
0005097515.tif 000005
【図５】
0005097515.tif 000006
【図６】
0005097515.tif 000007
【図７】
0005097515.tif 000008
【図８】
0005097515.tif 000009
【図９】
0005097515.tif 000010